(57)【要約】【課題】トイレ使用者の背もたれに対する多様な要求に対処し得るトイレ用手摺装置を提供する。【解決手段】左右一対のサイド支柱部１をその対向方向に連結して一体化してなるトイレ用手摺装置Ｚにおいて、該一対のサイド支柱部１の後方側に、洋式便器１０の使用者の背部を支持する背もたれ４を、各サイド支柱部１の後端部間に跨って且つ該各サイド支柱部１の対向方向へ移動可能に固定された支持材５を介して取り付ける。係る構成によれば、常時背もたれ４を洋式便器１０の幅方向の略中央に位置させてトイレ使用者の背部を的確にサポートすることができ、これによってトイレ使用者に対する高度の支援性が担保される。【選択図】図１
2019051176.tif 000002
【特許請求の範囲】
【請求項１】
洋式便器をその左右両側から挟むように対向設置されるとともにその対向間隔が変更可能とされた左右一対のサイド支柱部をその対向方向に連結して一体化するとともに、該各サイド支柱部の上端にはそれぞれ前後方向に延出する側部肘掛を設けてなるトイレ用手摺装置であって、
上記左右一対のサイド支柱部の後方側には、上記洋式便器の使用者の背部を支持する背もたれが、上記各サイド支柱部の後端部間に跨って且つ該各サイド支柱部の対向方向へ移動可能に固定された支持材を介して取り付けられていることを特徴とするトイレ用手摺装置。
【請求項２】
請求項１において、
上記左右一対のサイド支柱部は、その高さが調整可能に構成されていることを特徴とするトイレ用手摺装置。
【請求項３】
請求項１又は２において、
上記支持材は、上記各サイド支柱部からその後方側への延出量が調整可能とされていることを特徴とするトイレ用手摺装置。
【請求項４】
請求項１、２又は３において、
上記背もたれは、上記支持材を傾動中心として前後方向に傾動可能とされていることを特徴とするトイレ用手摺装置。
【発明の詳細な説明】
【技術分野】
【０００１】
本願発明は、洋式トイレの近傍に設置されるトイレ用手摺装置に関するものである。
【背景技術】
【０００２】
トイレ用手摺装置においては、用便時にトイレ使用者の背部をサポートして着座姿勢の保持に伴う負担を軽減するという思想があり、これに応えるものとして例えば、特許文献１〜３に開示されるものが知られている。
【０００３】
特許文献１に示されるものは、便器後部寄りの左右両側に立設された支柱のそれぞれに「背もたれ半体」を回動可能に取付け、これら左右一対の「背もたれ半体」を対向方向の内側へ回動させて張出すことで一つの「背もたれ」を構成するようにしたものである。
【０００４】
特許文献２に示されるものは、手摺装置の後端部において左右のフレームからそれぞれ立ち上がる左右一対の支柱の上端同士を横材で連結し、この横材に背もたれを取り付けたものである。
【０００５】
特許文献３に示されるものは、便器の後部左右にそれぞれ立設される支柱の上端同士を横設される架設部材で連結するとともに、この架設部材に背もたれを着脱可能に取付けたものである。
【先行技術文献】
【特許文献】
【０００６】
【特許文献１】特開２０１５−７３５８２号公報
【特許文献１】特開２０１０−２０１０１９号公報
【特許文献１】特開２０１４−８７４６２号公報
【発明の概要】
【発明が解決しようとする課題】
【０００７】
ところで、トイレ使用者は便座に座った状態でその背部を背もたれに預けることでその姿勢を保持するが、この際の快適性とか安楽性は、同一構成の背もたれであっても全てのトイレ使用者に一律に得られるものではなく、例えば、トイレ使用者の体格とか体形状、あるいは好み等によって異なるものである。
【０００８】
ところが、特許文献１に示されるものでは、上記「背もたれ半体」は、それぞれ高さ位置の調整は可能であるものの、便器の幅寸法に対応して左右の支柱間隔が拡大してもこれに追従して上記左右の背もたれ半体の間隔を調整する機構が備えられていないため、場合によっては「背もたれ半体」の間隔が広すぎて十分なサポート効果が得られないという事態も考えられる。
【０００９】
特許文献２に示されるものでは、左右一対の支柱の高さを調整することで、横材に取り付けられた背もたれの高さを調整できるものの、それ以外の調整機構は設けられていない。
【００１０】
特許文献３に示されるものでは、左右の支柱に高さを調整することで、これに架設部材を介して取り付けられた上記背もたれの高さを調整するようになっているが、それ以外の調整機構は設けられていない。
【００１１】
したがって、これら各特許文献１〜３を組み合わせても、単に背もたれの高さ調整についての機構が得られるのみで、例えば、トイレ使用者の体格等に対応し得る背もたれの調整機構は得られず、トイレ使用者の要求を満たすものとはなり得ない。
【００１２】
そこで本願発明は、トイレ使用者の背もたれに対する多様な要求に対処すべく、多様な背もたれ調整機構を備えたトイレ用手摺装置を提供することを目的としてなされたものである。
【課題を解決するための手段】
【００１３】
本願発明ではかかる課題を解決するための具体的手段として次のような構成を採用している。
【００１４】
本願の第１の発明では、洋式便器をその左右両側から挟むように対向設置されるとともにその対向間隔が変更可能とされた左右一対のサイド支柱部をその対向方向に連結して一体化するとともに、該各サイド支柱部の上端にはそれぞれ前後方向に延出する側部肘掛を設けてなるトイレ用手摺装置において、上記左右一対のサイド支柱部の後方側に、上記洋式便器の使用者の背部を支持する背もたれを、上記各サイド支柱部の後端部間に跨って且つ該各サイド支柱部の対向方向へ移動可能に固定された支持材を介して取り付けたことを特徴としている。
【００１５】
本願の第２の発明では、上記第１の発明に係るトイレ用手摺装置において、上記左右一対のサイド支柱部の高さを調整可能に構成したことを特徴としている。
【００１６】
本願の第３の発明では、上記第１又は第２の発明に係るトイレ用手摺装置において、上記支持材の上記各サイド支柱部からその後方側への延出量が調整可能とされていることを特徴としている。
【００１７】
本願の第４の発明では、上記第１、第２又は第３の発明に係るトイレ用手摺装置において、上記背もたれを、上記支持材を傾動中心として前後方向に傾動可能に構成したことを特徴としている。
【発明の効果】
【００１８】
本願発明では次のような効果が得られる。
【００１９】
（ａ）本願の第１の発明によれば、洋式便器をその左右両側から挟むように対向設置されるとともにその対向間隔が変更可能とされた左右一対のサイド支柱部をその対向方向に連結して一体化するとともに、該各サイド支柱部の上端にはそれぞれ前後方向に延出する側部肘掛を設けてなるトイレ用手摺装置において、上記左右一対のサイド支柱部の後方側に、上記洋式便器の使用者の背部を支持する背もたれを、上記各サイド支柱部の後端部間に跨って且つ該各サイド支柱部の対向方向へ移動可能に固定された支持材を介して取り付けているので、例えば、上記洋式便器の取り替え等によって該洋式便器の幅寸法が変更され、これに伴って上記左右一対のサイド支柱部の対向間隔が変更される場合、この対向間隔の変更に対応して上記支持材を各サイド支柱部の対向方向へ適宜移動させることで、該支持材に取り付けられた上記背もたれを上記洋式便器の幅方向の略中央に位置させることができ、その結果、洋式便器に着座したトイレ使用者に対する背部サポート作用が常時適正に維持され、延いては、トイレ使用者に対する高度の支援性が担保される。
【００２０】
（ｂ）本願の第２の発明に係るトイレ用手摺装置によれば、上記（ａ）に記載の効果に加えて、以下のような特有の効果が得られる。即ち、この発明では、上記左右一対のサイド支柱部の高さを調整可能に構成したので、例えば、トイレ使用者の体格等に応じてサイド支柱部の高さ調整を行った場合、このサイド支柱部の高さを調整と一体的に上記背もたれの高さ調整も行われ、トイレ使用者は上記背もたれによってその背部が常に適正な高さ位置でサポートされることになり、トイレ使用者に対する高度の支援性が担保される。
【００２１】
（ｃ）本願の第３の発明に係るトイレ用手摺装置によれば、上記（ａ）又は（ｂ）に記載の効果に加えて、以下のような特有の効果が得られる。即ち、この発明では、上記支持材の上記各サイド支柱部からその後方側への延出量が調整可能とされているので、例えば、この支持材の上記各サイド支柱部からその後方側への延出量をトイレ使用者の体格とか体形状に応じて調整する（即ち、体格が大きいほど上記支持材の上記各サイド支柱部からその後方側への延出量を大きく設定する）ことで、トイレ使用者の体格とか体形状に左右されることなく、上記支持材に取り付けられた上記背もたれによって洋式便器に着座したトイレ使用者の背部を常時的確にサポートすることができ、トイレ使用者に対する高度の支援性が担保される。
【００２２】
（ｄ）本願の第４の発明に係るトイレ用手摺装置によれば、上記（ａ）、（ｂ）又は（ｃ）に記載の効果に加えて、以下のような特有の効果が得られる。即ち、この発明では、上記背もたれを、上記支持材を傾動中心として前後方向に傾動可能に構成したので、トイレ使用者の常態としての用便時の姿勢、特に、背部の形状とか傾斜状態において、トイレ使用者の背部に上記背もたれを的確に沿わせて安定的にサポートすることができ、例えば、背部への背もたれの片当りによる疼痛感、違和感を生じることもなく、トイレ使用者に対する高度の支援性が担保される。
【図面の簡単な説明】
【００２３】
【図１】本願発明の実施形態に係るトイレ用手摺装置の全体斜視図である。
【図２】上記トイレ用手摺装置の正面図である。
【図３】図２のＡ−Ａ矢視図である。
【図４】図２のＢ−Ｂ矢視図である。
【発明を実施するための形態】
【００２４】
以下、本願発明の実施形態に係るトイレ用手摺装置Ｚの構成等を説明する。
【００２５】
図１〜図４には、本願発明の実施形態に係るトイレ用手摺装置Ｚを示している。このトイレ用手摺装置Ｚは、洋式便器１０をその左右両側から挟むように配置される次述の左右一対のサイド支柱部１、１を、その前部側において連結材２によって連結してこれを一体化して構成される。
【００２６】
上記サイド支柱部１は、上記洋式便器３の前後方向に向けて配置されるベース材１１と、該ベース材１１の前端部から立ち上がると共にその上端には前側受材１４を備えた伸縮式の前側支柱１２と、該ベース材１１の中間位置から立ち上がると共にその上端には後側受材１５を備えた伸縮式の後側支柱１３と、上記前側受材１４と上記後側受材１５に跨ってその上面側に固定された側部肘掛１６と、上記前側受材１４の前端部に回動支持材１８を介して跳ね上げ可能に取り付けられた前側肘掛１７を備える。
【００２７】
したがって、上記サイド支柱部１は、上記前側支柱１２と後側支柱１３の伸縮によってその高さ調整が行われ、このサイド支柱部１の高さ調整に伴って、上記側部肘掛１６と前側肘掛１７の高さ調整、及び後述する背もたれ４もその高さが調整される。
【００２８】
そして、この左右一対のサイド支柱部１，１の上記前側支柱１２，１２同士を上記連結材２によって連結することで上記トイレ用手摺装置Ｚが構成される。なお、この連結材２は、伸縮可能に構成され、上記洋式便器１０の幅寸法に対応してこれら一対のサイド支柱部１、１の対向間隔が調整可能とされる。また、上記トイレ用手摺装置Ｚは、上記連結材２を上記洋式便器１０の前部に当接させてこれを支持するとともに、左右一対の後側支柱１３、１３間に張設された固定ベルト３によって上記洋式便器１０の後部を抱持することで、該洋式便器１０側に固定され、安定した設置状態が確保される。
【００２９】
一方、上記一対のサイド支柱部１、１の上記後側受材１５の後端部には、略Ｌ形に屈曲形成された伸縮支持材１９が、その一端側を上記後側受材１５の後端側に伸縮可能に内挿した状態で取り付けられている。そして、この伸縮支持材１９の上記後側受材１５に対する内挿量（伸縮量）は、該伸縮支持材１９側に所定間隔で設けた複数の孔と、側後側受材１５側に所定間隔で設けた複数の孔を適宜合致させ、ここに固定ピン２１を嵌挿することで調整される。
【００３０】
さらに、上記左右一対の上記各サイド支柱部１、１に設けた上記各伸縮支持材１９の他端には、それぞれクランプ材２０が取り付けられている。そして、この左右一対のクランプ材２０、２０には、直棒状の支持材５が着脱可能に把持されている。また、この支持材５の軸方向の略中央位置には、矩形板状の背もたれ４がブラケット２２によって固定されている。
【００３１】
したがって、上記クランプ材２０，２０を緩めることで、上記支持材５はその軸方向へ自由に移動することができる。この支持材５の移動機能によって、例えば、上記洋式便器１０の幅寸法の変更に対応して上記一対のサイド支柱部１、１の対向間隔を変更した場合においても、上記背もたれ４を上記洋式便器１０の幅方向略中央に位置させることが可能となる。この調整機能によれば、洋式便器１０に着座したトイレ使用者に対する背部サポート作用が常時適正に維持され、延いては、トイレ使用者に対する高度の支援性が担保される。
【００３２】
また、上記クランプ材２０，２０を緩めて上記支持材５をそれぞれの軸心回りに回動させることで、該支持材５に固定された上記背もたれ４は、該支持材５を傾動中心として前後方向に傾動可能とされる（図３に鎖線図示する背もたれ４Ａを参照）。この調整機能によれば、トイレ使用者の常態としての用便時の姿勢、特に、背部の形状とか傾斜状態において、トイレ使用者の背部に上記背もたれを的確に沿わせて安定的にサポートすることができることとなり、例えば、背部への背もたれの片当りによる疼痛感、違和感を生じることもなく、トイレ使用者に対する高度の支援性が担保される。
【００３３】
さらに、上記背もたれ４は、上記左右一対の伸縮支持材１９、１９の上記各後側受材１５、１５に対する伸縮量を調整することで、上記各サイド支柱部１、１の後方側への延出量が増減調整される（図３及び図４にそれぞれ鎖線図示する支持材５Ａ及び背もたれ４Ｂを参照）。この調整機能によれば、例えば、上記支持材５の上記各サイド支柱部１、１からその後方側への延出量をトイレ使用者の体格とか体形状に応じて調整する（即ち、体格が大きいほど上記支持材５の上記各サイド支柱部１、１からその後方側への延出量を大きく設定する）ことで、トイレ使用者の体格とか体形状に左右されることなく、上記支持材５に取り付けられた上記背もたれ４によって洋式便器１０に着座したトイレ使用者の背部を常時的確にサポートすることができ、トイレ使用者に対する高度の支援性が担保される。
【００３４】
一方、上記背もたれ４の洋式便器１０からの設置高さの調整は、上述のように、上記各サイド支柱部１、１の各前側支柱１２及び後側支柱１３を伸縮させることで、上記側部肘掛１６及び前側肘掛１７の高さ調整と一体的に行われる。ここで、トイレ使用者が洋式便器１０に着座した状態では、通常、上記背もたれ４によるサポートが望ましい部分、即ち、要部から背部にかけての部分の高さと、腕を折り曲げた時の肘の高さは略等しい。このため、この実施形態のように、上記背もたれ４の高さ調整と上記側部肘掛１６及び前側肘掛１７の高さ調整が一体的に同時に行われるように構成することで、例えば、トイレ使用者の体格に応じて上記側部肘掛１６及び前側肘掛１７の高さ調整を行った場合には、これと同時に上記背もたれ４の高さ調整も行われ、該トイレ使用者はその背部が常に適正な高さ位置で上記背もたれ４によってサポートされることになり、上記各調整機能の場合と同様に、トイレ使用者に対する高度の支援性が担保される。
【００３５】
その他
（１）この実施形態においては、上記背もたれ４の上記支持材５周りの傾動を、該背もたれ４が固定された上記支持材５を、上記クランプ材２０、２０を緩めて回動させることで実現しているが、本願発明は係る構成に限定されるものではなく、例えば、上記支持材５に対して上記背もたれ４を適宜に相対回動可能に構成し、これによって該背もたれ４の傾動動作を実現することもできる。さらに、この場合、上記背もたれ４と上記支持材５の支承部分に適宜の弾性復元機構を設け、被使用時には背もたれ４を略直立姿勢に保持する一方、使用時にはトイレ使用者の背部からの押付力を受けて該背部に沿うように傾動させるようにすることもできる。
【００３６】
（２）この実施形態においては、上記側部肘掛１６の他に、上記前側肘掛１７も備えているが、本願発明においては上記前側肘掛１７の設置は必ずしも必要ではなく、任意に設置できるものである。
【００３７】
（３）この実施形態においては、上記背もたれ４の高さ調整は、上記サイド支柱部１の高さ調整によって上記側部肘掛１６及び前側肘掛１７の高さ調整と同時に行われるように構成しているが、他の実施形態においては、例えば、上記支持材５と上記背もたれ４の取付部に上下方向へのスライド機構を設けるとか、略Ｌ形の上記伸縮支持材１９を上記後側受材１５に対して相対回動可能に構成し、該伸縮支持材１９の傾動によって上記クランプ材２０にクランプされた上記支持材５の高さが調整できるようにし、これによって上記背もたれ４の高さ調整を、上記サイド支柱部１側の高さ調整とは別個独立に行えるようにすることもできる。
【産業上の利用可能性】
【００３８】
本願発明に係るトイレ用手摺装置は、主として介護福祉分野において、被介護者の用便時の支援手段として広く利用できるものである。
【符号の説明】
【００３９】
１・・サイド支柱部
２・・連結材
３・・固定ベルト
４・・背もたれ
５・・支持材
１０・・洋式便器
１１・・ベース材
１２・・前側支柱
１３・・後側支柱
１４・・前側受材
１５・・後側受材
１６・・側部肘掛
１７・・前側肘掛
１８・・回動支持材
１９・・伸縮支持材
２０・・クランプ材
２１・・固定ピン
２２・・ブラケット
Ｚ・・手摺装置
【図１】
2019051176.tif 000003
【図２】
2019051176.tif 000004
【図３】
2019051176.tif 000005
【図４】
2019051176.tif 000006